(57)【要約】【解決手段】  主たるライトと、１または２以上の分離ライトとからなるライト群は、結合して一つのライト体となるものであり、各々の分離ライトは、主たるライトと同一の照射方向から、該照射方向を変更する第１〜第３の照射方向変更機構を備えたことを特徴とする分離型センサーライト。【効果】  一つのライト体としての同一の照射方向から、各々の分離ライトを分離して、照射方向を変更して、照射することにより、一つのセンサーライトで様々な角度を照射することができる。【選択図】図９
2017208302.tif 000002
【特許請求の範囲】
【請求項１】
センサーで所定の感知をした場合にライト群を点灯させるセンサーライトであって、
ライト群は、主たるライトと、１または２以上の分離ライトとからなり、これらを同一方向へ照射する照射方向としたときに、前記主たるライトと前記分離ライトとが結合して、一つのライト体となるものであって、
各々の分離ライトは、主たるライトと同一の照射方向から、該照射方向を変更する照射方向変更機構を備えたことを特徴とする分離型センサーライト。
【請求項２】
分離ライトは、主たるライトの放射方向の外方に位置し、分離ライトの裏面側で支持される支持軸を、主たるライトの裏面側に配置される接続部に接続することにより、前記主たるライトと接続することを特徴とする請求項１に記載の分離型センサーライト。
【請求項３】
分離ライトの第１の照射方向変更機構は、主たるライトと接続する支持軸の回動端部を起点として起伏して照射方向を変更することを特徴とする請求項２に記載の分離型センサーライト。
【請求項４】
分離ライトの第２の照射方向変更機構は、分離ライトの支持軸を回動軸として回動して照射方向を変更することを特徴とする請求項２または３のいずれか一項に記載のセンサーライト。
【請求項５】
分離ライトの第３の照射方向変更機構は、分離ライトに支持軸を受ける軸受を有し、前記軸受が前記支持軸を軸方向に伸縮可能に支持することにより、分離ライトを主たるライトの放射方向に伸縮することを特徴とする請求項２、３または４のいずれか一項に記載のセンサーライト。
【発明の詳細な説明】
【技術分野】
【０００１】
本発明は、センサーで感知した場合に照射するセンサーライトであって、ライト群の一部のライトを任意の照射方向に変更可能とするものに関する。
【背景技術】
【０００２】
従来からセンサーライトは、視界が悪い位置における自動点灯用ライトや防犯用ライト、夜間の獣対策として用いられている。このようなセンサーライトは、住宅等の建造物の玄関先を単に照射するだけでなく、建造物のコーナー部分等にも設置されるところ、設置位置や設置場所の状態によっては照射されないデッドスペースが生じる。そのため、一方向のみでは照射したい部分を適切に照射できず、複数のセンサーライトを設置せざるを得なかった。
【０００３】
また、センサーライトではないが、照射角度を任意に変更可能にするライトは存在した。
（特許文献１参照）
【先行技術文献】
【特許文献】
【０００４】
【特許文献１】特開２００２−１６３９２２号公報
【発明の概要】
【発明が解決しようとする課題】
【０００５】
しかし、一つの設置場所に複数のセンサーライトを用いることは煩雑となり、一つのセンサーライトであらゆる方向の照射が可能なものが望まれていた。また、防犯用や獣対策として用いる場合、建造物の状態によって一つのライトで照射する場合や、懸念部分を照射する場合を適宜使い分ける要望もあった。そこで、設置場所や設置状態によって、体々な角度に照射方向を変更できるものが求められていた。
【課題を解決するための手段】
【０００６】
そこで、本発明の分離型センサーライトは、センサーで所定の感知をした場合にライト群を点灯させるセンサーライトであって、ライト群は、主たるライトと、１または２以上の分離ライトとからなり、これらを同一方向へ照射する照射方向としたときに、前記主たるライトと前記分離ライトとが結合して、一つのライト体となるものであって、各々の分離ライトは、主たるライトと同一の照射方向から、該照射方向を変更する照射方向変更機構を備えたことを特徴とするものである。
【０００７】
また、分離ライトは、主たるライトの放射方向の外方に位置し、分離ライトの裏面側で支持される支持軸を、主たるライトの裏面側に配置される接続部に接続することにより、前記主たるライトと接続することが好ましい。
【０００８】
また、分離ライトの第１の照射方向変更機構は、主たるライトと接続する支持軸の回動端部を起点として起伏して照射方向を変更することが好ましい。
【０００９】
また、分離ライトの第２の照射方向変更機構は、分離ライトの支持軸を回動軸として回動して照射方向を変更することが好ましい。
【００１０】
また、分離ライトの第３の照射方向変更機構は、分離ライトに支持軸を受ける軸受を有し、前記軸受が前記支持軸を軸方向に伸縮可能に支持することにより、分離ライトを主たるライトの放射方向に伸縮することが好ましい。
【発明の効果】
【００１１】
上記発明により、一つのライト体としての同一の照射方向から、各々の分離ライトを分離して、照射方向を変更して、照射することにより、一つのセンサーライトで様々な角度を照射することができる。
【図面の簡単な説明】
【００１２】
【図１】本発明の分離型センサーライトの全体斜視図である。
【図２】本発明の分離型センサーライトの正面図である。
【図３】本発明の分離型センサーライトの右側面図である。
【図４】本発明の分離型センサーライトの左側面図である。
【図５】本発明の分離型センサーライトから本体部、取付部を取り外してライト群のみとした状態の背面図である。
【図６】本発明の分離型センサーライトの第１の照射方向変更機構を用いて照射方向を変更した状態を示す一部拡大左側面図である。
【図７】本発明の分離型センサーライトの第２の照射方向変更機構を用いて照射方向を変更した状態を示す一部拡大左側面図である。
【図８】本発明の分離型センサーライトの第３の照射方向変更機構を用いて照射方向を変更した状態を示す一部拡大左側面図である。
【図９】本発明の分離型センサーライトの各々の分離ライトを第１〜第３の照射方向変更機構を用いて照射方向を変更した状態を示す斜視図である。
【発明を実施するための形態】
【００１３】
本発明の実施の一例を図面に沿って説明する。
【００１４】
図１に示すように、本発明の分離型センサーライト１の実施形態は、主たるライト２１、分離ライト３１ａ、３１ｂ、３１ｃ、３１ｄとからなるライト群Ａと、センサー２、本体部４、取付部５が基本的な構成態体となる。
【００１５】
分離型センサーライト１は、本体部４及び取付部５に内蔵された制御部（図示しない）により、センサー２が熱源の移動を感知した場合にライト群Ａの全体を点灯させ、センサー保持部３のツマミ８ａで指定された照射時間を経過すると、ライト群Ａを消灯させる。取付部５の下部から電源コード７が延長されており、これによりライト群Ａを点灯させるための電力の供給を受けるが、電力供給元は家庭用電源のみならず、ソーラーパネル等であってもよい。分離型センサーライト１の照射時間はセンサー保持部３に配置されたツマミ８ａにより設定可能とし、周りがどの程度暗くなった状態で照射するか、についてもツマミ８ａの反対側に配置されたツマミ８ｂにより設定可能としている。なお、本説明において、ライト群Ａとは、単に主たるライト２１と分離ライト３１の集合体を指すものとして用いる。
【００１６】
分離型センサーライト１の設置場所への取り付けは、取付部５の裏面側に取り外し可能となる取付板６を取り外し、この取付板６を設置場所にネジ固定した後、この取付板６に再度取付部５を取り付けることにより行う。設置場所への固定は、これに限らず、Ｌ字金具を用いたクランプを用いるもの等であってもよい。
【００１７】
図２に示すように、本実施形態におけるライト群Ａは中央の主たるライト２１と、主たるライト２１から放射方向であって、中央の主たるライト２１の外方に位置する４つの分離ライト３１ａ〜３１ｄとからなる。図２に示す状態は、分離ライト３１ａ〜３１ｄが主たるライト２１と結合して同一の照射方向としている。この結合して同一の照射方向としている状態が一つのライト体としている。
【００１８】
結合した状態で、ライト群Ａは、正面視において、全体として角を丸めた略正方形状となる。主たるライト２１はその中央部分で略円形の照射面を有し、分離ライト３１ａはその上側、分離ライト３１ｂはその下側、分離ライト３１ｃはその右側、分離ライト３１ｄはその左側に位置する。分離ライト３１ａ〜ｄは角を丸めた略正方形状の中央円形部分を除外した部分を４分割した形状で、正面視において略台形となる。ライト３１ａ〜ｄの外周縁付近は裏側にかけて湾曲した形態となる（図３参照）。
【００１９】
本実施形態のライト群Ａは、主たるライト２１の上下左右側に４つの略台形状の分離ライト３１が配置されたものとしているが、これに限定されない。主たるライトの左右側に鍵括弧型の２つの分離ライトがある場合や、その他の数や形態の分離ライトであってもよい。また、主たるライト２１は複数のライトのうちから任意に選択可能であって、分離ライトとの位置関係で中央に配置される必要や、分離ライトに比べて大きいものである等の必要はない。
【００２０】
図３、４に示すように、本体部４の上部にある円筒状の回動筒１１から伸びる本体支持棒１２に、主たるライト２１の裏面側にある接続本体部２２（図５参照）から延長したライト支持棒２３を接続することにより、本体部４と主たるライト２１とが連結される。
【００２１】
本体部４の上方にある円筒状の回動筒１１は、本体部４の長手方向に対して直交する方向（水平方向）に回動する。これにより、図３、４に示す状態から、ライト群Ａ全体を水平方向に回動して照射方向を変更することができる。
【００２２】
また、図４に示すように、支持棒１２とライト支持棒２３とは、ビス１３を、ライト支持棒２３内部の水平方向の係合筒（図示しない）に支持棒１２の外部から螺入することにより、回動自在に連結されている。この連結により、図４に示す状態から、ライト群Ａ全体を本体部４の長手方向（垂直方向）に回動して照射方向を変更することができる。
【００２３】
分離ライト３１ａ〜ｄの主たるライト２１との支持、接続、及び、照射方向の変更について、説明する。なお、図３、４に示すように、主たるライト２１は、その裏面側にある接続本体部２２の支持棒２３により本体部４と接続されているが、各分離ライト３１ａ〜３１ｄは本体部４に直接接続されておらず、後述するように主たるライト２１の裏面にある接続本体部２２に接続されている。
【００２４】
図５に示すように、第１の分離ライト３１ａは、軸受３２ａ、支持軸３３ａ、回動端部３４ａにより、主たるライト２１の接続本体部２２の接続壁２４ａとの接続することで、支持されている。具体的には、第１の分離ライト３１ａの裏面側中央部分を凸条にして内部に軸を包摂して支持し得る軸受３２ａが形成され、この内部に支持軸３３ａが配置されている。この支持軸３３ａの主たるライト２１側の端部が円筒状に形成した回動端部３４ａとなる。
【００２５】
この回動端部３４ａと、接続本体部２２から上方向に突出した接続部となる接続壁２４ａとの接続は、回動端部３４ａと接続壁２４ａとを当接して、ビス１３を螺入することにより、接続する。この接続壁２４ａには水平方向に円筒状の係合筒（図示しない）が形成され、回動端部３４ａからビス１３を螺入して係合筒に係合すると、第１の分離ライト３１ａがこの回動端部３４ａを起点に回動可能に接続される。
【００２６】
図６に示すように、この第１の分離ライト３１ａは、主たるライト２１と結合して一つのライト体となった状態から、矢印線Ｚに示すように、回動端部３４ａを起点として、後方に倒れるように回動する。また、図６に示す状態から一つのライト体となる状態へも同じく回動端部３４ａを起点に回動して起き上がる。つまり、第１の分離ライト３１ａは回動端部３４ａを起点に起伏するように回動する。これにより、第１の分離ライト３１ａは、主たるライト２１の照射方向に対して起伏するように約９０度の角度で変更可能となり、これが第１の照射方向変更機構となる。
【００２７】
次に、図５、図７に示すように、第２の照射方向変更機構は、支持軸３３ａを軸受３２ａで包摂して支持した状態で、矢印線Ｙの方向にその支持軸３３ａを中心に回動して、第１の分離ライト３１ａを回動して照射方向を変更することができる。第１の分離ライト３１ａの支持軸３３ａと軸受３２ａとの包摂した支持では、軸受３２ａの内部に所定角度以上の回動を制限するストッパー（図示しない）が配置されており、約３０度程度の回動がなされる。これにより、第１の分離ライト３１ａは、支持軸３３ａを回転軸として回動可能となり、照射方向を変更することができる。
【００２８】
なお、図７は、第１の照射方向変更機構により第１の分離ライト３１ａを倒した状態で、第２の照射方向変更機構により回動しているが、第２の照射方向変更機構は第１の照射方向変更機構により起伏させることを前提とするものではない。
【００２９】
図８に示すように、第３の照射方向変更機構は、支持軸３３ａを軸受３２ａに包摂して支持している状態で、矢印線Ｘに示すように、第１の分離ライト３１ａを支持軸３３ａの方向にスライドさせて、移動させる。第１の分離ライト３１ａの支持軸３３ａと軸受３２ａとの包摂した支持状態は、軸受３２ａの内部に所定以上のスライドを制限するストッパーが配置されている（図示しない）。これにより、第１の分離ライト３１ａは、支持軸３３ａの軸方向に伸縮可能となり、照射方向を変更することができる。
【００３０】
第１の分離ライト３１ａによる第１〜第３の照射方向変更機構を説明したが、図５に示すように、第２〜第４の分離ライト３１ｂ〜ｄも、第１の分離ライト３１ａと同体の軸受３２ｂ〜ｄにスライド、伸縮可能に支持軸３３ｂ〜ｄが包摂して支持されており、この支持軸３３ｂ〜ｄを回転軸として回動自在となり、この支持軸３３ｂ〜ｄの回動端部３４ｂ〜ｄが接続部となる接続壁２４ｂ〜ｄに回動自在に取り付けられた構造を有する。
【００３１】
これにより、第１の分離ライト３１ａと同じく、第２〜４の分離ライト３１ｂ〜ｄも第１〜３の照射方向変更機構を有し、主たるライト２１の照射方向から照射方向を変更することができる。また、第１〜第４の分離ライト３１ａ〜ｄは各々に照射方向変更機構を有していることから、図９に示すように、各々の分離ライト３１ａ〜ｄを任意の方向に照射方向を変更することができる。
【００３２】
具体的には、主たるライト２１と第４の分離ライト３１ｄは矢印線Ｂの方向を照射し、第１の分離ライト３１ａは第３の照射方向変更機構によりスライドした状態で第２の照射方向変更機構により正面側に照射方向を変更している。また、第２の分離ライトは第３の照射方向変更機構によりスライドした状態で矢印線Ｃの方向を照射し、第３の分離ライト３１ｃは第１の照射方向変更機構を用いて正面側に照射方向を変更している。これ以外にも、第１〜３の照射方向変更機構を用いて、各々の分離ライト３１ａ〜ｄの照射方向を任意の方向に変更可能である。
【符号の説明】
【００３３】
１…分離型センサーライト、
２…センサー、
２１…主たるライト、
２２…接続本体部
２４ａ、２４ｂ、２４ｃ、２４ｄ…接続壁（接続部）
３１ａ、３１ｂ、３１ｃ、３１ｄ…分離ライト
３２ａ、３２ｂ、３２ｃ、３２ｄ…軸受
３３ａ、３３ｂ、３３ｃ、３３ｄ…支持軸
３４ａ、３４ｂ、３４ｃ、３４ｄ…回動端部
Ａ…ライト群
【図１】
2017208302.tif 000003
【図２】
2017208302.tif 000004
【図３】
2017208302.tif 000005
【図４】
2017208302.tif 000006
【図５】
2017208302.tif 000007
【図６】
2017208302.tif 000008
【図７】
2017208302.tif 000009
【図８】
2017208302.tif 000010
【図９】
2017208302.tif 000011